(57)【要約】【課題】通信不能領域に在圏する端末装置から送信された安否情報を安否確認サーバへ伝達すること【解決手段】第１及び第２の端末装置と無線通信可能な基地局装置において、前記第１及び第２の端末装置の利用者の安否情報を管理するサーバとの接続が切断された要因が災害の発生によるものか否かを判定する災害判定機能部と、前記サーバとの接続が切断された要因が災害の発生によるものであることを示す判定結果を前記災害判定機能部から受け取ったとき、前記第１及び第２の端末装置からそれぞれ収集した第１及び第２の安否情報を、前記基地局装置の通信可能範囲から第１の基地局装置の通信可能範囲へ移動する確率が前記第２の端末装置よりも高い前記第１の端末装置へ送信する情報処理部とを備える。【選択図】図５
2018092461.tif 000002
【特許請求の範囲】
【請求項１】
第１及び第２の端末装置と無線通信可能な基地局装置において、
前記第１及び第２の端末装置の利用者の安否情報を管理するサーバとの接続が切断された要因が災害の発生によるものか否かを判定する災害判定機能部と、
前記サーバとの接続が切断された要因が災害の発生によるものであることを示す判定結果を前記災害判定機能部から受け取ったとき、前記第１及び第２の端末装置からそれぞれ収集した第１及び第２の安否情報を、前記基地局装置の通信可能範囲から第１の基地局装置の通信可能範囲へ移動する確率が前記第２の端末装置よりも高い前記第１の端末装置へ送信する情報処理部と
を備えることを特徴とする基地局装置。
【請求項２】
前記情報処理部は、前記判定結果を前記災害判定機能部から受け取ったとき、前記第１及び第２の安否情報の送信を前記第１及び第２の端末装置にそれぞれ要求する又はしないことを示す報知情報を送信することを特徴とする請求項１記載の基地局装置。
【請求項３】
前記情報処理部は、前記第１及び第２の安否情報の送信を前記第１及び第２の端末装置にそれぞれ要求することを示す前記報知情報を送信したとき、前記第１及び第２の端末装置から前記第１及び第２の安否情報をそれぞれ受信することを特徴とする請求項２記載の基地局装置。
【請求項４】
前記情報処理部は、前記判定結果を前記災害判定機能部から受け取ったとき、前記第１及び第２の安否情報の送信を前記第１及び第２の端末装置にそれぞれ要求する又はしない、及び、更新された第１及び第２の安否情報の送信を前記第１及び第２の端末装置にそれぞれ要求する又はしないことを示す前記報知情報を送信することを特徴とする請求項１記載の基地局装置。
【請求項５】
前記情報処理部は、前記第１及び第２の安否情報の送信を前記第１及び第２の端末装置にそれぞれ要求し、かつ、更新された前記第１及び第２の安否情報の送信を前記第１及び第２の端末装置にそれぞれ要求する前記報知情報を送信したとき、更新された前記第１及び第２の安否情報を前記第１及び第２の端末装置からそれぞれ受信することを特徴とする請求項４記載の基地局装置。
【請求項６】
前記情報処理部は、第２の基地局装置の通信可能範囲から前記基地局装置の通信可能範囲に移動した第３の端末装置から、第３の安否情報を送信するための接続要求を受信したとき、前記第３の端末装置の認証手順を制御装置と行うことなく、前記第３の端末装置へ接続許可を送信することを特徴とする請求項１記載の基地局装置。
【請求項７】
前記基地局装置が前記サーバとの接続が切断されていないときであって、前記第１の端末装置から前記第１及び第２の安否情報を送信するための接続要求を受信したとき、前記第２の端末装置よりも前記第１の端末装置を優先して、前記第１の端末装置に対して接続許可を送信することを特徴とする請求項１記載の基地局装置。
【請求項８】
前記情報処理部は、前記第１及び第２の端末装置から送信された無線信号の送信タイミングと前記基地局装置において受信した前記無線信号の受信タイミングの差に応じて、収集した前記安否情報を送信する候補の端末装置を決定することを特徴とする請求項１記載の基地局装置。
【請求項９】
前記情報処理部は、決定した候補の前記端末装置に対して、前記第１及び第２の端末装置における空きメモリサイズに基づいて決定した優先順位に従って、収集した前記安否情報を前記第１の端末装置へ送信することを特徴とする請求項８記載の基地局装置。
【請求項１０】
第１及び第２の安否情報を記憶するメモリと、
第１の基地局装置へ前記第１の安否情報を送信後、前記第１の基地局装置の通信可能範囲から第２の基地局装置の通信可能範囲へ移動する確率が他の端末装置よりも高いとして、前記第１の安否情報と前記他の端末装置が前記第１の基地局装置へ送信した前記第２の安否情報とを前記第１の基地局装置から受信して、前記メモリに前記第１及び第２の安否情報を記憶し、前記第１の基地局装置の通信可能範囲から前記第２の基地局装置の通信可能範囲へ移動したとき、前記第１及び第２の安否情報を前記第２の基地局装置へ送信する情報処理部と
を備えることを特徴とする端末装置。
【請求項１１】
前記情報処理部は、前記端末装置が第３の基地局装置の通信可能範囲から前記第１の基地局装置の通信可能範囲に移動して、前記第１の基地局装置から前記第１の安否情報の送信を要求することを示す報知情報を受信したとき、前記第１の安否情報を送信するための接続であることを示す接続要求を前記第１の基地局装置へ送信することを特徴とする請求項１０記載の端末装置。
【請求項１２】
前記情報処理部は、前記端末装置が前記第１の基地局装置の通信可能範囲から前記第２の基地局装置の通信可能範囲へ移動したとき、前記第１及び第２の安否情報を送信するための接続であることを示す接続要求を前記第２の基地局装置へ送信することを特徴とする請求項１０記載の端末装置。
【請求項１３】
第１及び第２の端末装置と、
前記第１及び第２の端末装置と無線通信可能な第１及び第２の基地局装置と、
前記第２の基地局装置と接続され、前記第１及び第２の端末装置の利用者の安否情報を管理するサーバと
を備える安否確認システムであって、
前記第１の基地局装置は、
前記サーバとの接続が切断された要因が災害の発生によるものか否かを判定する災害判定機能部と、
前記サーバとの接続が切断された要因が災害の発生によるものであることを示す判定結果を前記災害判定機能部から受け取ったとき、前記第１及び第２の端末装置からそれぞれ収集した第１及び第２の安否情報を、前記第１の基地局装置の通信可能範囲から前記第２の基地局装置の通信可能範囲へ移動する確率が前記第２の端末装置よりも高い前記第１の端末装置へ送信する第１の情報処理部とを備え、
前記第１の端末装置は、
前記第１及び第２の安否情報を記憶するメモリと、
前記第１の基地局装置へ第１の安否情報を送信後、前記第１の基地局装置の通信可能範囲から前記第２の基地局装置の通信可能範囲へ移動する確率が第２の端末装置よりも高いとして、前記第１及び第２の安否情報を前記第１の基地局装置から受信して、前記メモリに前記第１及び第２の安否情報を記憶し、前記第１の基地局装置の通信可能範囲から前記第２の基地局装置の通信可能範囲へ移動したとき、前記第１及び第２の安否情報を前記第２の基地局装置へ送信する第２の情報処理部と
を備えることを特徴とする安否確認システム。
【請求項１４】
第１及び第２の端末装置と無線通信可能であり、災害判定機能部と情報処理部とを有する基地局装置における安否確認方法であって、
前記災害判定機能部により、前記第１及び第２の端末装置の利用者の安否情報を管理するサーバとの接続が切断された要因が災害の発生によるものか否かを判定し、
前記情報処理部により、前記サーバとの接続が切断された要因が災害の発生によるものであることを示す判定結果を前記災害判定機能部から受け取ったとき、前記第１及び第２の端末装置からそれぞれ収集した第１及び第２の安否情報を、前記基地局装置の通信可能範囲から第１の基地局装置の通信可能範囲へ移動する確率が前記第２の端末装置よりも高い前記第１の端末装置へ送信する
ことを特徴とする安否確認方法。
【発明の詳細な説明】
【技術分野】
【０００１】
本発明は、基地局装置、端末装置、安否確認システム、及び安否確認方法に関する。
【背景技術】
【０００２】
地震や津波などの災害が発生したとき、安否確認のために、災害用伝言板サービスが利用される場合がある。災害用伝言板サービスの利用方法としては、例えば、以下がある。すなわち、災害発生時において、ユーザは、端末装置を利用して、安否確認用のメッセージなどを選択し、選択したメッセージなどを安否確認サーバへ送信する。安否確認サーバは、端末装置から送信されたメッセージなどを登録し、予め指定された家族や友人が所持する端末装置などへ、登録したメッセージなどを送信する。家族や友人は、端末装置を介してメッセージなどを取得することで、ユーザの安否を確認することができる。
【０００３】
このような安否確認システムに関する技術として、例えば、以下がある。すなわち、車載端末は第１の携帯端末から送信された安否情報を記憶し、他の車載端末は車車間通信を利用して車載端末から安否情報を受信して記憶することで、複数の車載端末が全安否情報を共有して記憶する。そして、いずれかの車載端末がアクセスポイントの通信可能エリアに到達した場合、該アクセスポイントを介して情報サーバへ安否情報を送信するようにした安否情報伝達方法がある。
【０００４】
この技術によれば、災害時など広域通信網が停止した場合であっても安否情報を広く迅速に共有することができる、とされる。
【０００５】
また、基地局は、複数の端末を含むグループ毎に安否応答要求を送信することで安否応答を収集し、安否確認サーバとの通信が復旧した時点でそれまで収集した安否情報を安否確認サーバへ送信する安否情報確認システムがある。
【０００６】
この技術によれば、災害発生時に安否情報を収集する安否確認サーバと無線基地局との間が通信不能になったのちに両者の間の通信が復旧したときに、網に輻輳を発生させることなく最新の安否情報を短時間で収集することができる、とされる。
【０００７】
さらに、災害が発生したことが検知された通話サービスエリア内の携帯端末に安否確認メールを送信し、安否確認メールに対して携帯端末から返信された返信メールに含まれる安否情報を登録する安否情報データベースを有する通信システムがある。
【０００８】
この技術によれば、被災地に存在する携帯端末へ安否確認のメールを自動的に送出することにより、被災地に存在する携帯端末の所有者の安否情報を得ることができる、とされる。
【先行技術文献】
【特許文献】
【０００９】
【特許文献１】特開２０１５−６９５１６号公報
【特許文献２】特開２０１３−１０９６８４号公報
【特許文献３】特開２００８−２１０２６９号公報
【発明の概要】
【発明が解決しようとする課題】
【００１０】
しかしながら、災害が発生したとき、基地局装置と安否確認サーバとの間の通信が切断される場合がある。この場合、基地局装置は、端末で生成され、端末から送信された安否確認用のメッセージを安否確認サーバへ送信することができない。
【００１１】
上述した、車車間通信を利用して複数の車載端末が安否情報を共有する技術は、例えば、複数の車載端末が携帯端末から送信された全安否情報を共有するようになっている。そのため、かかる技術では、安否情報を送信する携帯端末の台数が多ければ多いほど、安否情報の情報量は多くなる。各車載端末は、メモリ容量も各々異なり、全安否情報を記憶することができない車載端末が存在する場合もある。よって、かかる技術では、通信不能エリアの携帯端末で生成された安否情報を情報サーバへ伝達できない場合がある。
【００１２】
また、グループ毎に安否応答要求を送信して、端末から安否応答を収集する技術は、無線基地局と安否確認サーバとの通信が復旧した時点で、無線基地局が収集した安否情報を安否確認サーバへ送信する。したがって、無線基地局と安否確認サーバとの通信が復旧しない限り、通信不能エリアの端末で生成された安否情報は安否確認サーバへ伝達されることはなく、安否情報が家族や友人の所持する端末へ送信されることはない。
【００１３】
さらに、安否確認メールに対する返信メールにより安否情報を取得する技術は、基地局装置と安否確認サーバとの間の通信が切断された場合にどのように対処するかについては何ら開示も示唆もない。
【００１４】
そこで、一開示は、通信不能領域に在圏する端末装置から送信された安否情報を安否確認サーバへ伝達できるようにした基地局装置、端末装置、安否確認システム、及び安否確認方法を提供することにある。
【課題を解決するための手段】
【００１５】
一開示は、第１及び第２の端末装置と無線通信可能な基地局装置において、前記第１及び第２の端末装置の利用者の安否情報を管理するサーバとの接続が切断された要因が災害の発生によるものか否かを判定する災害判定機能部と、前記サーバとの接続が切断された要因が災害の発生によるものであることを示す判定結果を前記災害判定機能部から受け取ったとき、前記第１及び第２の端末装置からそれぞれ収集した第１及び第２の安否情報を、前記基地局装置の通信可能範囲から第１の基地局装置の通信可能範囲へ移動する確率が前記第２の端末装置よりも高い前記第１の端末装置へ送信する情報処理部とを備える。
【発明の効果】
【００１６】
一開示によれば、通信不能領域に在圏する端末装置から送信された安否情報を安否確認サーバへ伝達することができる。
【図面の簡単な説明】
【００１７】
【図１】図１は安否確認システムの構成例を表す図である。
【図２】図２（Ａ）と図２（Ｂ）は基地局装置の構成例を表す図である。
【図３】図３（Ａ）と図３（Ｂ）は基地局装置の構成例を表す図である。
【図４】図４は端末装置の構成例を表す図である。
【図５】図５は安否確認システムにおける全体の動作フローを表す図である。
【図６】図６は動作例を表すシーケンス図である。
【図７】図７は動作例を表すシーケンス図である。
【図８】図８は動作例を表すシーケンス図である。
【図９】図９は動作例を表すシーケンス図である。
【図１０】図１０は動作例を表すシーケンス図である。
【図１１】図１１は動作例を表すシーケンス図である。
【図１２】図１２は動作例を表すフローチャートである。
【図１３】図１３（Ａ）はＳＩＢ  ＴｙｐｅＸＸの構成例、図１３（Ｂ）はＳＩＢ  ＴｙｐｅＸＸに含まれる情報要素の説明例を表す図である。
【図１４】図１４（Ａ）から図１４（Ｃ）はＳＩＢ  ＴｙｐｅＸＸの使用例を表す図である。
【図１５】図１５（Ａ）は安否情報の構成例、図１５（Ｂ）は安否情報に含まれる情報要素の説明例、図１５（Ｃ）はＲＲＣｃｏｎｎｅｃｔｉｏｎＲｅｑｕｅｓｔメッセージの構成例、図１５（Ｄ）はＲＲＣｃｏｎｎｅｃｔｉｏｎＲｅｑｕｅｓｔメッセージの説明例を夫々表す図である。
【図１６】図１６（Ａ）と図１６（Ｂ）は接続処理のシーケンス例を表す図である。
【図１７】図１７（Ａ）は基地局装置、図１７（Ｂ）は端末装置のハードウェア構成例をそれぞれ表す図である。
【図１８】図１８は安否確認システムの構成例を表す図である。
【発明を実施するための形態】
【００１８】
以下、本発明を実施するための形態について説明する。なお、以下の実施例は開示の技術を限定するものではない。そして、各実施の形態は、処理内容を矛盾させない範囲で適宜組み合わせることが可能である。また、本明細書に記載された用語や技術的内容は、３ＧＰＰ（Third Generation Partnership Project）など通信に関する規格として仕様書に記載された用語や技術的内容が適宜用いられてもよい。
【００１９】
［第１の実施の形態］
＜安否確認システムの構成例＞
図１は第１の実施の形態における安否確認システム１０の構成例を表す図である。安否確認システム１０は、基地局装置（以下、「基地局」と称する場合がある。）１００−Ａ，１００−Ｂと、端末装置（以下、「端末」と称する場合がある。）２００−１〜２００−４、上位ネットワーク装置３００、及び安否確認サーバ４００を備える。
【００２０】
各基地局１００−Ａ，１００−Ｂは、各端末２００−１〜２００−４と無線通信が可能である。各基地局１００−Ａ，１００−Ｂは、災害が発生したとき、各端末２００−１〜２００−４から送信された安否情報を受信する。また、各基地局１００−Ａ，１００−Ｂは、有線回線である基幹回線により、上位ネットワーク装置３００と接続される。各基地局１００−Ａ，１００−Ｂは、受信した安否情報を、基幹回線を利用して上位ネットワーク装置３００へ送信する。
【００２１】
上位ネットワーク装置３００は、例えば、ゲートウェイ（ＧＷ：Gateway）装置又は制御装置である。上位ネットワーク装置３００は、各基地局１００−Ａ，１００−Ｂから送信された安否情報を受信し、受信した安否情報を安否確認サーバ４００へ送信する。なお、上位ネットワーク装置３００は、例えば、ＭＭＥ（Mobility Management Entity）などの制御装置や、Ｓ−ＧＷ（Serving Gateway）、Ｐ−ＧＷ（PDN(Packet Data Network) Gateway）などのゲートウェイ装置である。
【００２２】
安否確認サーバ４００は、例えば、端末２００−１〜２００−４を利用する利用者の安否情報を管理するサーバである。安否確認サーバ４００は、上位ネットワーク装置３００から送信された安否情報を受信し、受信した安否情報を記憶又は登録する。安否確認サーバ４００は、例えば、ハードディスクドライブなどの大容量の記憶媒体を有し、受信した安否情報を記憶媒体に記憶する。安否確認サーバ４００は、予め登録された端末装置５００−１，５００−２宛に、登録した安否情報を配信する。安否確認サーバ４００は、端末装置５００−１，５００−２への配信を、有線通信で行ってもよいし、無線通信で行ってもよい。
【００２３】
図１の例では、基地局１００−Ａの通信可能領域（又はセル範囲。以下、「セル範囲」と称する場合がある。）に２台の端末２００−１，２００−２が在圏し、基地局１００−Ｂのセル範囲に２台の端末２００−３，２００−４が在圏し、それぞれ無線通信が行われている例を表している。各基地局１００−Ａ，１００−Ｂのセル範囲には１台の端末が在圏して各々接続されてもよいし、３台以上の端末が在圏し、それぞれ無線通信が行われてもよい。
【００２４】
また、図１の例では、災害の発生によって、基地局１００−Ａと上位ネットワーク装置３００との間の基幹回線が切断されて、基地局１００−Ａと上位ネットワーク装置３００との通信ができない状態（又は接続断状態）となっている。すなわち、基地局１００−Ａと安否確認サーバ４００との通信ができず、基地局１００−Ａから送信された安否情報が安否確認サーバ４００へ伝達できない状態となっている例を表している。一方、基地局１００−Ｂと上位ネットワーク装置３００との間の基幹回線の接続は維持されており、基地局１００−Ｂから安否確認サーバ４００への安否情報の伝達は可能な状態となっている例を表している。
【００２５】
なお、基地局１００−Ａ，１００−Ｂについては、とくに断らない限り、基地局１００と称する場合がある。また、端末２００−１〜２００−４も、とくに断らない限り、端末２００と称する場合がある。
【００２６】
＜基地局と端末の構成例＞
図２（Ａ）から図３（Ｂ）は基地局１００、図４は端末２００の構成例をそれぞれ表している。
【００２７】
＜基地局の構成例＞
図２（Ａ）は基地局１００の構成例を表している。基地局１００は、ＲＥ（Radio Equipment：無線部）１０２、及びＲＥ１０２を介してアンテナ１０１と接続される。
【００２８】
アンテナ１０１は、ＲＥ１０２から無線信号を受け取り、受け取った無線信号を端末２００へ送信する。また、アンテナ１０１は、端末２００から送信された無線信号を受信し、受信した無線信号をＲＥ１０２へ出力する。
【００２９】
ＲＥ１０２は、基地局１００から出力されたベースバンド信号を受け取り、受け取ったベースバンド信号に対して周波数変換処理（又はアンプコンバート処理）などを施して、無線帯域の無線信号へ変換する。ＲＥ１０２は、無線信号をアンテナ１０１へ出力する。また、ＲＥ１０２は、アンテナ１０１から受け取った無線信号に対して周波数変換処理（又はダウンコンバート処理）などを施して、ベースバンド帯域のベースバンド信号へ変換する。ＲＥ１０２は、ベースバンド信号を基地局１００へ出力する。
【００３０】
なお、アンテナ１０１とＲＥ１０２は、点線で示すように、基地局１００に含まれて、基地局１００とアンテナ１０１、及びＲＥ１０２により基地局１００が構成されてもよい。
【００３１】
基地局１００は、ベースバンド処理部１１０、制御部１２０、情報処理部１３０、データベース１４０、及び災害判定機能部（又は災害判定部）１６０を備える。また、基地局１００は、安否確認ソフトウェアプログラム（又は安否確認ソフトウェアプログラムデータ）１５０を、メモリに記憶する。
【００３２】
ベースバンド処理部１１０は、ＲＥ１０２から受け取ったベースバンド信号に対して、復調処理や誤り訂正復号化（以下、「復号化」と称する場合がある。）などを施して、制御信号や参照信号などの各種信号やデータなどを抽出する。データの例としては、端末２００から送信された安否情報がある。ベースバンド処理部１１０は、抽出した信号やデータを、制御部１２０や情報処理部１３０へ出力する。また、ベースバンド処理部１１０は、制御部１２０や情報処理部１３０から受け取ったデータや信号に対して、誤り訂正符号化処理（以下、「符号化」と称する場合がある。）や変調処理などを施して、変調信号（又はベースバンド信号）へ変換する。ベースバンド処理部１１０は、変換後のベースバンド信号をＲＥ１０２へ出力する。
【００３３】
制御部１２０は、例えば、ベースバンド処理部１１０から受け取ったデータや信号の中から、端末２００から送信された安否情報を抽出し、安否情報を収集する。制御部１２０は、収集した安否情報を、基幹回線を介して上位ネットワーク装置３００へ送信する。また、制御部１２０は、例えば、収集した安否情報を情報処理部１３０へ出力する。さらに、制御部１２０は、例えば、上位ネットワーク装置３００との間でヘルスチェックを行い、上位ネットワーク装置３００に対する接続の有無を検出する。制御部１２０は、例えば、上位ネットワーク装置３００との接続の有無を検出することで、安否確認サーバ４００との間の接続の有無を検出することが可能である。制御部１２０は、例えば、接続の有無を示す検出結果を情報処理部１３０へ出力する。この場合、制御部１２０は、上位ネットワーク装置３００（又は安否確認サーバ４００）との接続が維持されているときは検出結果を出力することなく、上位ネットワーク装置３００（又は安否確認サーバ４００）との接続が切断されたことを検出したとき、切断されたことを示す検出結果を情報処理部１３０へ出力してもよい。
【００３４】
情報処理部１３０は、例えば、基幹回線が切断されたことを示す検出結果を受け取ると、受け取った確認結果を災害判定機能部１６０へ出力する。そして、情報処理部１３０は、災害判定機能部１６０から、基幹回線の切断の要因（又は安否確認サーバ４００との接続が切断した要因）が災害の発生によることを示す判定結果を得たとき、安否情報の収集を、在圏する端末２００に対して要求する。この要求に応答して、端末２００は安否情報を送信し、制御部１２０が収集する。情報処理部１３０は制御部１２０から安否情報を受け取る。情報処理部１３０は、受け取った安否情報を、データベース１４０に記憶する。そして、情報処理部１３０は、他の基地局１００−Ｂへ移動する確率が端末２００−２より高い端末２００−１を選択し、選択した端末２００−１へ向けて収集した安否情報を送信する。また、情報処理部１３０は、安否確認ソフトウェアプログラム１５０をメモリから読み出して、安否確認ソフトウェアプログラム１５０を保存していない端末２００へ向けて送信する。詳細は動作例で説明する。
【００３５】
データベース１４０は、安否情報を記憶する。データベース１４０は、例えば、基地局１００内のメモリの所定領域内に記憶される。
【００３６】
安否確認ソフトウェアプログラム１５０は、例えば、端末２００において安否確認システム１０が提供する災害用伝言板サービスを利用するためのプログラムである。安否確認ソフトウェアプログラム１５０も、例えば、基地局１００内のメモリに記憶される。
【００３７】
災害判定機能部１６０は、例えば、情報処理部１３０から、基幹回線が切断されたことを示す検出結果を得たとき、基幹回線の切断の要因が災害の発生によるものか否かを判定する。判定の具体例は動作例で説明する。災害判定機能部１６０は、例えば、基幹回線の切断の要因が災害の発生によると判定したときは、基幹回線の切断の要因が災害の発生によるものであることを示す判定結果を情報処理部１３０へ出力する。
【００３８】
災害判定機能部１６０には、例えば、災害を判定するブロックがある。図２（Ｂ）から図３（Ｂ）はそのようなブロックの具体例を含む基地局１００の構成例を表す図である。
【００３９】
図２（Ｂ）の例では、災害判定機能部１６０は、震度判定部１６１を備える。震度判定部１６１は、加速度計１６２をさらに備え、加速度計１６２で測定した加速度が閾値を超える場合、地震が発生したと判定する。この場合、災害判定機能部１６０は、例えば、基幹回線の切断の要因は災害（又は地震）である、と判定することが可能である。
【００４０】
図３（Ａ）は、災害判定機能部１６０は、緊急地震速報受信部１６３を備え、緊急地震速報受信部１６３はアンテナ１６４と接続される。緊急地震速報受信部１６３は、アンテナ１６４を介して、ＴＶ（Television）放送やラジオ放送、或いは携帯電話などから送信された緊急地震速報を受信すると、地震が発生したと判定する。この場合も、災害判定機能部１６０は、例えば、基幹回線の切断の要因は災害（又は地震）である、と判定することが可能である。
【００４１】
図３（Ｂ）は、図３（Ａ）と同様に、災害判定機能部１６０は緊急地震速報受信部１６３を備えるが、緊急地震速報受信部１６３は専用回線により緊急地震速報配信サーバ６００と接続される。緊急地震速報配信サーバ６００は、例えば、気象庁などに設置される。緊急地震速報受信部１６３は、緊急地震速報配信サーバ６００から専用回線を介して緊急地震速報を受信すると、地震が発生したと判定する。この場合も、災害判定機能部１６０は、例えば、基幹回線の切断の要因は災害（又は地震）である、と判定することが可能である。
【００４２】
＜端末の構成例＞
図４は端末２００の構成例を表す図である。端末２００は、アンテナ２０１、無線信号処理機能部（又は無線信号処理部）２１０、制御部２２０、情報処理部２３０、ユーザインタフェース２４０、ＧＰＳ（Global Positioning System）機能部２５０、メモリ２６０を備える。また、端末２００は、例えば、安否確認ソフトウェアプログラム１５０をメモリ２６０に記憶する。
【００４３】
アンテナ２０１は、基地局１００から送信された無線信号を受信し、受信した無線信号を無線信号処理機能部２１０へ出力する。また、アンテナ２０１は、無線信号処理機能部２１０から出力された無線信号を受け取り、受け取った無線信号を基地局１００へ送信する。
【００４４】
無線信号処理機能部２１０は、アンテナ２０１から受け取った無線信号に対して、周波数変換処理、復調処理、復号化処理（又はＲＦ（Radio Frequency）処理及びベースバンド処理）などを施して、制御信号や参照信号などの各種信号やデータなどを抽出する。無線信号処理機能部２１０は、抽出した信号やデータなどを制御部２２０へ出力する。また、無線信号処理機能部２１０は、制御部２２０から参照信号やデータなどを受け取り、受け取った参照信号やデータなど対して、制御信号に基づいて、符号化処理、変調処理、周波数変換処理などを施して無線信号へ変換する。無線信号処理機能部２１０は、無線信号をアンテナ２０１へ出力する。
【００４５】
制御部２２０は、例えば、制御信号に基づいて、自局宛のデータなどを抽出し、抽出したデータなどを情報処理部２３０へ出力する。また、制御部２２０は、例えば、情報処理部２３０から受け取ったデータなどを無線信号処理機能部２１０へ出力する。
【００４６】
情報処理部２３０は、例えば、制御部２２０から受け取ったデータに、安否情報の送信要求が含まれるとき、安否確認ソフトウェアプログラム１５０を実行する。安否確認ソフトウェアプログラム１５０の実行により、ユーザインタフェース２４０から入力又は選択されたステータス（又は安否確認用のメッセージ）などを含む安否情報を生成する。情報処理部２３０は、生成した安否情報をメモリ２６０に適宜記憶する。情報処理部２３０は、生成した安否情報を制御部２２０へ出力し、安否情報を基地局１００へ向けて送信する。
【００４７】
ユーザインタフェース２４０は、例えば、マイク、スピーカ、液晶画面上に表示された入力ボタンなどである。ユーザはユーザインタフェース２４０を操作することで、安否確認用のステータスを選択したり入力したりすることができる。
【００４８】
ＧＰＳ機能部２５０は、例えば、ＧＰＳを利用して、人工衛星との通信により、端末２００の現在位置を測定する。ＧＰＳ機能部２５０は、測定した位置を位置情報として、情報処理部２３０へ出力する。位置情報は、安否情報に含まれてもよい。
【００４９】
メモリ２６０は、安否情報を記憶する。
【００５０】
安否確認ソフトウェアプログラム１５０は、例えば、基地局１００から送信されたものであって、メモリに保持されている。安否情報と安否確認ソフトウェアプログラム１５０は、メモリ２６０に記憶されてもよい。
【００５１】
＜動作例＞
次に、動作例について説明する。最初に安否確認システム１０全体の動作例について説明し、次に各動作例の詳細について説明する。
【００５２】
＜１．全体動作例＞
図５は安否確認システム１０における全体の動作フローを表す図である。図５に示すように、基地局１００−Ａは、災害発生により、基幹回線の切断により安否確認サーバ４００と接続することができない状態となっている。端末２００−１，２００−２は、安否確認サーバ４００と通信不能な領域に在圏する端末となっている。
【００５３】
一方、基地局１００−Ａは、自局のセル範囲（点線）に在圏する端末２００−１，２００−２と無線通信は可能である。基地局１００−Ａは、基幹回線の切断の要因が災害であることを検出すると、端末２００−１，２００−２に対して安否情報の送信を要求する。このとき、端末２００−２は、安否確認ソフトウェアプログラム１５０をインストールしていないため、基地局１００−Ａへ当該プログラム１５０を送信するよう要求する。基地局１００−Ａは、この要求に応じて当該プログラム１５０を、端末２００−２へ送信する（Ｓ１）。
【００５４】
そして、端末２００−１，２００−２は、安否確認ソフトウェアプログラム１５０を実行して、安否情報を基地局１００−Ａへ送信する（Ｓ２，Ｓ３）。また、端末２００−３は、他の基地局のセル範囲から、基地局１００−Ａのセル範囲に移動し、安否情報の送信要求に応じて基地局１００−Ａへ安否情報を送信する（Ｓ４）。
【００５５】
次に、基地局１００−Ａは、端末２００−１〜２００−３のうち、他の基地局１００−Ｂのセル範囲（点線）へ移動する確率が最も高い端末２００−１を選択する。基地局１００−Ａは選択した端末２００−１へ、端末２００−１〜２００−３から収集した安否情報を送信する（Ｓ５）。
【００５６】
次に、端末２００−１は、基地局１００−Ｂのセル範囲に移動する（Ｓ６）。端末２００−１は、端末２００−１〜２００−３の安否情報を基地局１００−Ｂへ送信する（Ｓ７）。基地局１００−Ｂは、端末２００−１や端末２００−４から受信した安否情報を、上位ネットワーク装置３００へ送信する（Ｓ８）。上位ネットワーク装置３００は、受信した安否情報を安否確認サーバ４００へ送信する。安否確認サーバ４００は、受信した安否情報を登録又は更新する（Ｓ９）。
【００５７】
以上が全体動作例である。次に、各動作例の詳細について説明する。詳細は以下の順番で説明する。
＜２．１  端末が安否確認ソフトウェアプログラムを保有している場合＞
＜２．２  端末が安否確認ソフトウェアプログラムを保有していない場合＞
＜２．３  端末が隣接セルから移動してきた場合＞
＜２．４  基地局で収集した安否情報を端末へ送信する場合＞
＜２．５  安否情報を保存する端末が隣接セルへ移動した場合＞
＜２．６  基地局と上位ネットワーク装置との接続が復旧した場合＞
【００５８】
＜２．１  端末が安否確認ソフトウェアプログラムを保有している場合＞
図６は、端末２００が安否確認ソフトウェアプログラム１５０を保有している場合において、安否情報を送信する場合の動作例を表すシーケンス図である。
【００５９】
基地局１００−Ａは、上位ネットワーク装置３００との接続の切断を検出すると、切断が災害要因であるか否かを判定する（Ｓ１０）。
【００６０】
図１２は判定の動作例を表すフローチャートである。基地局１００−Ａは、上位ネットワーク装置３００に対して接続断を検出すると処理を開始する（Ｓ１００）。例えば、制御部１２０は、ヘルスチェックを利用して、パケットを上位ネットワーク装置３００へ送信し、送信したパケットに対する応答パケットを上位ネットワーク装置３００から受信したか否か、或いは一定時間内に受信したか否かにより、切断断を検出することが可能である。
【００６１】
次に、基地局１００−Ａは、接続断発生前後の設定時間内に、加速度計が設定値を超えたか否か、又は緊急地震速報を受信したか否かを判定する（Ｓ１１０）。本処理では、例えば、地震による災害が要因で、接続断が発生したのか否かを判定している。基地局１００−Ａは、地震発生後、設定時間内に接続断が発生したときは、接続断の要因は地震であると判定することが可能である。一方、基地局１００−Ａは、地震発生後、設定時間を経過後に接続断が発生したときは、接続断の要因は地震ではなく他の要因であると判定することができる。例えば、災害判定機能部１６０は、加速度計１６２で測定された加速度値が設定値を超えた時間から、設定時間内に、上位ネットワーク装置３００との接続断を示す検出結果を情報処理部１３０から受け取ったか否かにより判定してもよい。或いは、災害判定機能部１６０は、緊急地震速報を受信した時間から、設定時間内に、接続断を示す検出結果を情報処理部１３０から受け取ったか否かにより判定してもよい。
【００６２】
基地局１００−Ａは、接続断発生前後の設定時間内に、加速度計が設定値を超えたとき、又は緊急地震速報を受信したとき（Ｓ１１０でＹＥＳ）、上位ネットワーク装置３００との接続断の要因は災害要因であると判定する（Ｓ１２０）。そして、処理は、図６のＳ１１へ移行する。例えば、災害判定機能部１６０は、加速度値が設定値を超えた時間から、設定時間内に、上位ネットワーク装置３００との接続断を示す検出結果を情報処理部１３０から受け取ったとき、接続断の要因は災害要因であると判定し、判定結果を情報処理部１３０へ出力する。或いは、災害判定機能部１６０は、緊急地震速報を受信した時間から、設定時間内に、接続断を示す検出結果を情報処理部１３０から受け取ったとき、接続断の要因は災害要因であると判定し、判定結果を情報処理部１３０へ出力する。
【００６３】
一方、基地局１００−Ａは、接続断発生前後の設定時間内に、加速度計が設定値を超えなかったとき、又は緊急地震速報を受信しなかったとき（Ｓ１１０でＮＯ）、接続断は通常の故障が要因であると判定して、通常の故障対応を行う（Ｓ１４０）。
【００６４】
なお、図１２に示す処理は、例えば、＜２．２  端末が安否確認ソフトウェアプログラムを保有していない場合＞と＜２．３  端末が隣接セルから移動してきた場合＞においても実行される処理である。
【００６５】
図６に戻り、基地局１００−Ａは、接続断が災害要因であると判定すると、在圏する端末２００−１，２００−２に対して安否情報の送信を要求する（Ｓ１１）。例えば、情報処理部１３０は、安否情報の送信を要求するシステム情報（又は報知情報。以下、「システム情報」と称する場合がある。）を生成する。
【００６６】
システム情報は、３ＧＰＰ  ＴＳ  ３６．３３１  Ｖ１４．０．０（２０１６−０９）において、ＳＩＢ  Ｔｙｐｅ２１まで規定されている。本第１の実施の形態におけるシステム情報は、例えば、安否情報の送信を要求するためのＳＩＢとして、新規に定義したＳＩＢを使用する。このようなシステム情報を、以下では、「ＳＩＢ  ＴｙｐｅＸＸ」と称する場合がある。
【００６７】
図１３（Ａ）は、ＳＩＢ  ＴｙｐｅＸＸの構成例を表す図である。ＳＩＢ  ＴｙｐｅＸＸは、「Ｃｏｎｆｉｒｍａｔｉｏｎ−Ｏｆ−Ｓａｆｅｔｙ」と「Ｎｕｍｂｅｒ−Ｏｆ−Ｓａｆｅｔｙ−Ｃｈｅｃｋ」の２つの情報要素を含む。
【００６８】
図１３（Ｂ）に示すように、「Ｃｏｎｆｉｒｍａｔｉｏｎ−Ｏｆ−Ｓａｆｅｔｙ」は、例えば、安否情報の送信を端末２００に要求する又はしないことを示す情報要素である。
【００６９】
また、「Ｎｕｍｂｅｒ−Ｏｆ−Ｓａｆｅｔｙ−Ｃｈｅｃｋ」は、例えば、更新された安否情報の送信を端末２００に要求する又はしないことを示す情報要素である。
【００７０】
図１４（Ａ）から図１４（Ｃ）は、「Ｃｏｎｆｉｒｍａｔｉｏｎ−Ｏｆ−Ｓａｆｅｔｙ」と「Ｎｕｍｂｅｒ−Ｏｆ−Ｓａｆｅｔｙ−Ｃｈｅｃｋ」の使用例を表す図である。
【００７１】
図１４（Ａ）に示すように、基地局１００−Ａは、在圏する端末２００−１に安否情報の送信を要求する場合、「Ｃｏｎｆｉｒｍａｔｉｏｎ−Ｏｆ−Ｓａｆｅｔｙ」を「１」にしたＳＩＢ  ＴｙｐｅＸＸを送信する。端末２００−１はこれを受けて、安否情報を基地局１００−Ａへ送信する。一方、基地局１００−Ａは、在圏する端末２００−１に安否情報の送信を要求しない場合、「Ｃｏｎｆｉｒｍａｔｉｏｎ−Ｏｆ−Ｓａｆｅｔｙ」を「０」にしたＳＩＢ  ＴｙｐｅＸＸを送信する。この場合、端末２００−１は、安否情報を送信しない。
【００７２】
しかし、基地局１００−Ａが「Ｃｏｎｆｉｒｍａｔｉｏｎ−Ｏｆ−Ｓａｆｅｔｙ」を「１」にしたＳＩＢ  ＴｙｐｅＸＸを送信しても、端末２００−１が受信に失敗した場合、安否情報を送信することができない。
【００７３】
そこで、図１４（Ｂ）に示すように、基地局１００−Ａは、ＳＩＢ  ＴｙｐｅＸＸを連続して送信することも可能である。例えば、図１４（Ａ）では、基地局１００−Ａが１つのサブフレーム（１ｍｓ）で１回送信し、８０サブフレーム（８０ｍｓ）周期で送信する例であり、図１４（Ｂ）の例では、基地局１００−Ａが１つのサブフレーム内で複数回送信する例（又は１つのサブフレームで１回、複数回連続したサブフレームで送信する例）である。これにより、図１４（Ａ）の場合と比較して、端末２００−１におけるＳＩＢ  ＴｙｐｅＸＸの受信機会が増加し、基地局１００−Ａにおいて安否情報を取得する可能性が高くなる。
【００７４】
しかし、端末２００−１は、連続して受信したＳＩＢ  ＴｙｐｅＸＸの回数に応じて、その回数分、安否情報を基地局１００−Ａへ送信する場合がある。
【００７５】
そこで、基地局１００−Ａは「Ｎｕｍｂｅｒ−Ｏｆ−Ｓａｆｅｔｙ−Ｃｈｅｃｋ」を設定し、更新された安否情報を取得する場合は、「Ｎｕｍｂｅｒ−Ｏｆ−Ｓａｆｅｔｙ−Ｃｈｅｃｋ」をインクリメントする。端末２００−１は、「Ｎｕｍｂｅｒ−Ｏｆ−Ｓａｆｅｔｙ−Ｃｈｅｃｋ」について、前回受信した場合と比較してインクリメントされているとき、更新された安否情報を送信する。これにより、例えば、図１４（Ｂ）の場合と比較して、端末２００−１における消費電力の削減を図ることができる。
【００７６】
図１４（Ｃ）の例では、基地局１００−Ａが「Ｃｏｎｆｉｒｍａｔｉｏｎ−Ｏｆ−Ｓａｆｅｔｙ」と「Ｎｕｍｂｅｒ−Ｏｆ−Ｓａｆｅｔｙ−Ｃｈｅｃｋ」を「１」と「１」に設定したＳＩＢ  ＴｙｐｅＸＸを連続して３回送信した例を表している。この場合、端末２００−１は、１回目に受信したＳＩＢ  ＴｙｐｅＸＸに応答して、安否情報を送信する。しかし、端末２００−１において、２回目と３回目の受信したＳＩＢ  ＴｙｐｅＸＸについては、「Ｃｏｎｆｉｒｍａｔｉｏｎ−Ｏｆ−Ｓａｆｅｔｙ」が「１」となっているものの、「Ｎｕｍｂｅｒ−Ｏｆ−Ｓａｆｅｔｙ−Ｃｈｅｃｋ」は「１」のままインクリメントされていない。よって、端末２００−１は、２回目と３回目の受信したＳＩＢ  ＴｙｐｅＸＸに対しては、安否情報は送信しない。他方、「Ｃｏｎｆｉｒｍａｔｉｏｎ−Ｏｆ−Ｓａｆｅｔｙ」が「１」、「Ｎｕｍｂｅｒ−Ｏｆ−Ｓａｆｅｔｙ−Ｃｈｅｃｋ」が「２」となっているＳＩＢ  Ｔｙｐｅ  ＸＸを受信したとき、「Ｎｕｍｂｅｒ−Ｏｆ−Ｓａｆｅｔｙ−Ｃｈｅｃｋ」が更新されている。したがって、端末２００−１は、更新後の新たな安否情報を基地局１００−Ａへ送信する。このように、端末２００−１は、ＳＩＢ  ＴｙｐｅＸＸを連続して受信した場合でも、最初のＳＩＢ  ＴｙｐｅＸＸに応答して安否情報を送信し、以降に続くＳＩＢ  ＴｙｐｅＸＸを連続して受信しても安否情報を送信しない場合がある。この場合、基地局１００−Ａは、ＳＩＢ  ＴｙｐｅＸＸを連続して送信したとき、安否情報を端末２００−１から多くても１回、受信することが可能となる。
【００７７】
これにより、例えば、図１４（Ｂ）の場合と比較して、「Ｎｕｍｂｅｒ−Ｏｆ−Ｓａｆｅｔｙ−Ｃｈｅｃｋ」を利用した場合、端末２００−１における消費電力の削減を図ることができる。また、この場合、基地局１００−Ａ主導で、端末２００−１からの安否情報の取得を制御することが可能となる。
【００７８】
なお、「Ｎｕｍｂｅｒ−Ｏｆ−Ｓａｆｅｔｙ−Ｃｈｅｃｋ」は、ＳＩＢ  ＴｙｐｅＸＸの情報要素のオプションとして常に用いられてなくてもよい。
【００７９】
また、「Ｎｕｍｂｅｒ−Ｏｆ−Ｓａｆｅｔｙ−Ｃｈｅｃｋ」の値がインクリメントされたときに、端末２００−１は更新された安否情報を送信する例について説明したが、その値がデクリメントされたときに端末２００−１は更新された安否情報を送信してもよい。言い換えると、例えば、「Ｎｕｍｂｅｒ−Ｏｆ−Ｓａｆｅｔｙ−Ｃｈｅｃｋ」の値が変更されたときに、端末２００−１は更新された安否情報を送信すればよい。
【００８０】
図６に戻り、基地局１００−ＡがＳＩＢ  ＴｙｐｅＸＸを送信し（Ｓ１１）、端末２００−１はＳＩＢ  ＴｙｐｅＸＸを受信する（Ｓ１２）。例えば、端末２００−１の情報処理部２３０は、無線信号処理機能部２１０や制御部２２０などを介して、ＳＩＢ  ＴｙｐｅＸＸを受信する。
【００８１】
次に、端末２００−１は、安否確認ソフトウェアプログラム１５０を起動し（Ｓ１４）、安否情報の入力、及び生成を行う（Ｓ１４）。
【００８２】
図１５（Ａ）は安否情報に含まれる情報要素の例を表す図である。安否情報には、ステータス（又はステータス情報。以下、「ステータス」と称する場合がある。）、端末情報、位置情報、及び時刻が含まれる。ただし、位置情報と時刻はオプションであって、安否情報に含まれなくてもよい。
【００８３】
ステータスは、例えば、安否確認のメッセージを表す。ステータスは、例えば、ユーザがユーザインタフェース２４０を操作して、入力したり又は選択したりすることで、決定される情報である。または、例えば、安否確認ソフトウェアプログラム１５０が自動でステータスを決定してもよい。
【００８４】
端末情報は、例えば、端末２００を他の端末と識別する識別情報であり、電話番号などがある。また、位置情報は、例えば、ＧＰＳ機能部２５０で取得したＧＰＳ情報である。さらに、時刻は、例えば、情報処理部２３０が安否情報を生成した時刻をタイマーから取得した時刻を表す。
【００８５】
例えば、情報処理部２３０は、以下の処理を行う。すなわち、情報処理部２３０は、メモリから安否確認ソフトウェアプログラム１５０を読み出して、実行を開始し、ユーザインタフェース２４０により入力又は選択されたステータスを、ユーザインタフェース２４０から受け取る。また、情報処理部２３０は、メモリに記憶された端末情報を読み出す。このとき、情報処理部２３０は、ＧＰＳ機能部２５０から端末２００−１の現在位置、タイマーから現在時刻をそれぞれ取得してもよい。そして、情報処理部２３０は、ステータス、端末情報、現在位置、現在時刻を含む安否情報を生成する。
【００８６】
図６に戻り、次に、端末２００−１は、生成した安否情報を基地局１００−Ａへ送信する（Ｓ１５）。例えば、情報処理部２３０は、基地局１００−Ａ宛の安否情報を生成し、制御部２２０や無線信号処理機能部２１０などを介して、生成した安否情報を基地局１００−Ａへ送信する。
【００８７】
次に、基地局１００−Ａは、端末２００−１から送信された安否情報を保存する（Ｓ１６）。このとき、基地局１００−Ａは、ＴＡ（Timing Advance）値も保存する。
【００８８】
ＴＡ値は、例えば、端末２００−１から送信した無線フレーム（又は無線信号）のフレームタイミング（又は送信タイミング）と、基地局１００−Ａにおいて受信した無線フレーム（又は無線信号）のフレームタイミング（又は受信タイミング）との差を表している。仮に、複数の端末２００−１，２００−２が同時に無線信号を送信しても、各端末２００−１，２００−２の基地局１００−Ａに対する距離の相違により、基地局１００−Ａにおいて異なるタイミングで無線信号を受信する。基地局１００−Ａは、ＴＡ値を端末２００−１，２００−２へ送信し、端末２００−１，２００−２はＴＡ値に基づいて調整されたタイミングで無線信号を送信する。これにより、例えば、基地局１００−Ａでは、端末２００−１，２００−２から送信された無線信号を同時に受信して、有効シンボルに対するシンボル間干渉を防止することが可能となる。ＴＡ値は、例えば、端末２００−１の上り方向の無線信号の送信タイミングを調整するタイミング調整値となっている。
【００８９】
例えば、以下の処理が行われる。すなわち、情報処理部１３０は、ベースバンド処理部１１０などを介して安否情報を受信すると、データベース１４０に安否情報を記憶する。また、情報処理部１３０は、端末２００−１から送信された無線信号の受信タイミングに基づいて、端末２００−１のＴＡ値を計算する。具体的には、情報処理部１３０は、端末２００−１から受信した上りリンクの無線フレームタイミングと基地局１００−Ａの送信フレームタイミングとの差を演算することで、端末２００−１のＴＡ値を計算する。そして、情報処理部１３０は、安否情報とＴＡ値をデータベース１４０に記憶する。
【００９０】
＜２．２  端末が安否確認ソフトウェアプログラムを保有していない場合＞
図７は、端末２００−２が安否確認ソフトウェアプログラム１５０を保存していない場合において端末２００−２が安否情報を送信する場合の動作例を表すシーケンス図である。
【００９１】
基地局１００−Ａは、災害要因で上位ネットワーク装置３００との接続が切断したと判定すると（図６のＳ１０）、ＳＩＢ  ＴｙｐｅＸＸを送信する（Ｓ２１）。
【００９２】
端末２００−２は、ＳＩＢ  ＴｙｐｅＸＸを受信すると（Ｓ２２）、安否確認ソフトウェアプログラム１５０の送信を要求する（Ｓ２３）。例えば、端末２００−２の情報処理部２３０は、以下の処理を行う。すなわち、情報処理部２３０は、制御部２２０などを介してＳＩＢ  ＴｙｐｅＸＸを受信すると、メモリ２６０を探索して、安否確認ソフトウェアプログラム１５０を保存しているか否かを確認する。そして、情報処理部２３０は、安否確認ソフトウェアプログラム１５０を保存していないことを確認すると、安否確認ソフトウェアプログラム１５０の送信を要求する要求メッセージを生成し、制御部２２０などを介して基地局１００−Ａへ送信する。
【００９３】
基地局１００−Ａは、安否確認ソフトウェアプログラム１５０の送信要求を受信すると、安否確認ソフトウェアプログラム１５０を端末２００−２へ送信する（Ｓ２４）。例えば、基地局１００−Ａの情報処理部１３０は、メモリに記憶した安否確認ソフトウェアプログラム１５０を読み出して、制御部２２０などを介して端末２００−２へ送信する。
【００９４】
端末２００−２は、安否確認ソフトウェアプログラム１５０を受信すると、受信した安否確認ソフトウェアプログラム１５０を保存し、受信完了メッセージを生成して、基地局１００−Ａへ送信する（Ｓ２５）。例えば、端末２００−２の情報処理部２３０は、以下の処理を行う。すなわち、情報処理部２３０は、制御部２２０などを介して、安否確認ソフトウェアプログラム１５０を受信すると、メモリに保存してインストールを行う。そして、情報処理部２３０は、受信完了メッセージを生成して、制御部２２０などを介して、基地局１００−Ａへ送信する。
【００９５】
そして、端末２００−２は、図６の場合と同様に、安否情報ソフトウェアプログラム１５０を起動して（Ｓ２６）、安否情報を生成し（Ｓ２７）、生成した安否情報を基地局１００−Ａへ送信する（Ｓ２８）。基地局１００−Ａは、安否情報とＴＡ値を保存する（Ｓ２９）。
【００９６】
＜２．３  端末が隣接セルから移動してきた場合＞
図８は、端末２００−３が、他の基地局の通信可能範囲（以下では、「隣接セル」と称する場合がある）から移動してきた場合において端末２００−３が安否情報を送信する場合の動作例を表すシーケンス図である。
【００９７】
この場合も、基地局１００−Ａは、災害要因で上位ネットワーク装置３００との接続が切断したと判定すると（図６のＳ１０）、ＳＩＢ  ＴｙｐｅＸＸを報知する（Ｓ３１）。
【００９８】
端末２００−３は、隣接セル範囲から基地局１００−１のセル範囲に移動して、基地局１００−１から送信されたＳＩＢ  ＴｙｐｅＸＸを受信すると、基地局１００−Ａに対して接続要求を送信する（Ｓ３２）。
【００９９】
図１６（Ａ）は、端末２００−３と基地局１００−Ａとの間の接続シーケンスの具体例を表す図である。
【０１００】
端末２００−３は、ＳＩＢ  ＴｙｐｅＸＸを受信すると、複数のプリアンブルの中からランダムに選択したランダムアクセスプリアンブル（ＲＡＣＨ  Ｐｒｅａｍｂｌｅ）を基地局１００−Ａへ送信する（Ｓ３２１）。基地局１００−Ａは、ランダムアクセスプリアンブルを受信すると、応答情報として、送信タイミング情報などを含むランダムアクセスレスポンス（ＲＡＣＨ  Ｒｅｓｐｏｎｓｅ）を端末２００−３へ送信する（Ｓ３２２）。端末２００−１は、ランダムアクセスレスポンスを受信すると、基地局１００−Ａに対する接続の要求として、ＲＲＣメッセージ（ＲＲＣｃｏｎｎｅｃｔｉｏｎＲｅｑｕｅｓｔメッセージ）を生成して、送信タイミング情報に基づいて基地局１００−Ａへ送信する（Ｓ３２３）。例えば、基地局１００−Ａの情報処理部１３０と端末２００−３の情報処理部２３０との間で、このような接続シーケンスに関するメッセージが交換される。
【０１０１】
本第１の実施の形態においては、ＲＲＣｃｏｎｎｅｃｔｉｏｎＲｅｑｕｅｓｔメッセージにおいて、安否確認の接続を行うための情報を追加する。
【０１０２】
図１５（Ｃ）は、本第１の実施の形態で用いられるＲＲＣｃｏｎｎｅｃｔｉｏｎＲｅｑｕｅｓｔメッセージの構成例を表す図である。ＲＲＣｃｏｎｎｅｃｔｉｏｎＲｅｑｕｅｓｔメッセージは、例えば、当該メッセージがＲＲＣｃｏｎｎｅｃｔｉｏｎＲｅｑｕｅｓｔメッセージであることを示す「Ｍｅｓｓａｇｅ  Ｔｙｐｅ」を含む。また、ＲＲＣｃｏｎｎｅｃｔｉｏｎＲｅｑｕｅｓｔメッセージは、情報要素として、「Ｉｎｉｔｉａｌ  ＵＥ−Ｉｄｅｎｔｉｔｙ」と「ＥｓｔａｂｌｉｓｈｍｅｎｔＣａｕｓｅ」を含む。「Ｉｎｉｔｉａｌ  ＵＥ−Ｉｄｅｎｔｉｔｙ」は、例えば、端末２００に対して一時的に支払われる識別子を表す。「ＥｓｔａｂｌｉｓｈｍｅｎｔＣａｕｓｅ」は、例えば、接続を確立するためのトリガー（確立要因）となる識別子を表す。
【０１０３】
本第１の実施の形態においては、この「ＥｓｔａｂｌｉｓｈｍｅｎｔＣａｕｓｅ」について、新規に定義した「ＳａｆｅｔｙＣｈｅｃｋ１」と「ＳａｆｅｔｙＣｈｅｃｋ２」を含むようにしている。
【０１０４】
図１５（Ｄ）は、「ＳａｆｅｔｙＣｈｅｃｋ１」と「ＳａｆｅｔｙＣｈｅｃｋ２」の説明例を表す図である。
【０１０５】
「ＳａｆｅｔｙＣｈｅｃｋ１」は、例えば、自端末の安否情報を送信するための接続であることを示す。例えば、隣接セルから移動してきた端末２００−３が基地局１００−Ａと接続するために用いる。基地局１００−Ａは、「ＳａｆｅｔｙＣｈｅｃｋ１」を含むＲＲＣｃｏｎｎｅｃｔｉｏｎＲｅｑｕｅｓｔメッセージを受信すると、上位ネットワーク装置３００（例えばＭＭＥ）との間で、端末２００−３について、端末認証手順を行うことなく、端末２００−３に対して接続許可を送信する。
【０１０６】
一方、「ＳａｆｅｔｙＣｈｅｃｋ２」は、例えば、移動元基地局から受信した自端末及び他端末の安否情報を送信するための接続であることを示す。「ＳａｆｅｔｙＣｈｅｃｋ２」を含むＲＲＣｃｏｎｎｅｃｔｉｏｎＲｅｑｕｅｓｔメッセージを受信した基地局１００−Ａは、上位ネットワーク装置３００（例えばＭＭＥ）との間で接続シーケンスにより端末認証手順を行い、他のＲＲＣ接続に優先して、端末２００−３に対して接続許可を送信する。
【０１０７】
図１６（Ａ）に戻り、この例では、端末２００−３は、隣接セルから移動してきた端末２００−３であり、基地局１００−Ａとの接続を要求すべく、「ＳａｆｅｔｙＣｈｅｃｋ１」を含むＲＲＣｃｏｎｎｅｃｔｉｏｎＲｅｑｕｅｓｔメッセージを送信している（Ｓ３２３）。例えば、端末２００−２の情報処理部２３０は、ランダムアクセスレスポンスを受信すると、「ＳａｆｅｔｙＣｈｅｃｋ１」を含むＲＲＣｃｏｎｎｅｃｔｉｏｎＲｅｑｕｅｓｔメッセージを生成し、基地局１００−Ａへ向けて送信する。
【０１０８】
そして、基地局１００−Ａは、上位ネットワーク装置３００（例えば制御装置）との間で、端末２００−３に対する端末認証手順を行うことなく、端末２００−３に対して、接続許可を送信する（Ｓ３３）。具体的には、基地局１００−Ａは、接続許可とスケジューリング結果を含むＲＲＣｃｏｎｎｅｃｔｉｏｎＳｅｔｕｐメッセージを送信する。例えば、基地局１００−Ａの情報処理部１３０は、以下の処理を行う。すなわち、情報処理部１３０は、「ＳａｆｅｔｙＣｈｅｃｋ１」を含むＲＲＣｃｏｎｎｅｃｔｉｏｎＲｅｑｕｅｓｔメッセージを受信すると、上位ネットワーク装置３００に対して端末認証手順を開始することなく、ＲＲＣｃｏｎｎｅｃｔｉｏｎＳｅｔｕｐメッセージを生成し、端末２００−３へ向けて送信する。
【０１０９】
図８に戻り、端末２００−３は、ＲＲＣｃｏｎｎｅｃｔｉｏｎＳｅｔｕｐメッセージを受信すると、安否確認ソフトウェアプログラム１５０を起動し、安否情報を生成する（Ｓ１２〜Ｓ１４）。端末２００−３は、安否確認ソフトウェアプログラム１５０を保存していないときは、安否確認ソフトウェアプログラム１５０を基地局１００−Ａから取得し、安否情報を生成する（Ｓ２２〜Ｓ２７）。
【０１１０】
端末２００−３は生成した安否情報を基地局１００−Ａへ送信し、基地局１００−Ａは安否情報とＴＡ値を保存する（Ｓ３４，Ｓ３５）。
【０１１１】
＜２．４  基地局で収集した安否情報を端末へ送信する場合＞
図９は、基地局１００−Ａで収集した安否情報を端末２００−１へ送信する場合の動作例を表すシーケンス図である。基地局１００−Ａは、３つの端末２００−１〜２００−３から安否情報を収集又は保存しているものとする。
【０１１２】
基地局１００−Ａは、ＴＡ値に基づいて、保存した安否情報を送信する端末２００の候補を決定する（Ｓ４１）。例えば、情報処理部１３０は、データベース１４０に記憶した各端末２００−１〜２００−３のＴＡ値について、ＴＡ値に大きい順に予め決められた台数の端末２００を候補として決定する。個数は、１又は複数台であってもよい。例えば、情報処理部１３０は、ＴＡ値の大きい順に、２台の端末２００−１，２００−２を候補として決定する。
【０１１３】
ＴＡ値が大きい順に候補を決定したのは、例えば、ＴＡ値が大きければ大きいほど、端末２００が基地局１００−Ａから離れた位置で在圏しており、他の基地局１００−Ｂへ移動する確率が高いからである。したがって、端末２００−１，２００−２が基地局１００−Ａのセル範囲から他の基地局１００−Ｂのセル範囲へ移動する確率は、端末２００−３が基地局１００−Ａのセル範囲から他の基地局１００−Ｂのセル範囲へ移動する確率よりも高い、と考えることができる。
【０１１４】
次に、基地局１００−Ａは決定した候補の端末２００−１，２００−２に対して、空きメモリサイズの報告を要求する（Ｓ４２，Ｓ４４）。例えば、情報処理部１３０は、空きメモリサイズの報告を要求する要求メッセージを生成し、候補の端末２００−１，２００−２宛へ向けて送信する。
【０１１５】
各端末２００−１，２００−２は、空きメモリサイズの報告を要求されると、自局の空きメモリサイズを基地局１００−Ａへ報告する（Ｓ４３，Ｓ４５）。例えば、情報処理部２３０は、メモリ２６０の空き容量を測定し、測定結果を含む報告メッセージを生成して、基地局１００−Ａへ向けて送信する。
【０１１６】
基地局１００−Ａは、空きメモリサイズの報告を受けると、保存した安否情報を送信する端末２００の優先順位を決定する（Ｓ４６）。例えば、情報処理部１３０は、空きメモリサイズの報告メッセージを受信すると、空きメモリサイズの大きい端末２００から順に順位を決定する。例えば、端末２００−１の空きメモリサイズが「２００」、端末２００−２の空きメモリサイズが「１００」のとき、情報処理部１３０は、端末２００−１、端末２００−２の順で優先順位を決定する。
【０１１７】
そして、基地局１００−Ａは、決定した順位に従って、安否情報を端末２００へ送信する（Ｓ４７）。情報処理部１３０は、例えば、以下の処理を行う。
【０１１８】
すなわち、情報処理部１３０は、安否情報のサイズと、優先順位が最も高い端末２００−１の空きメモリサイズ「２００」とを比較して、空きメモリサイズ「２００」の方が安否情報のサイズ以上のときは、安否情報を、優先順位が最も高い端末２００−１へ送信する。例えば、安否情報のサイズが「１５０」のとき、端末２００−１の空きメモリサイズ「２００」の方が大きいため、情報処理部１３０は端末２００−１へ安否情報を送信する。一方、安否情報のサイズが、優先順位が最も高い端末２００−１の空きメモリサイズを超えるときは、情報処理部１３０は、安否情報を分割し、分割した各安否情報を端末２００−１と端末２００−２へそれぞれ送信する。例えば、安否情報のサイズが「１５０」、端末２００−１の空きメモリサイズが「１００」、端末２００−２の空きメモリサイズが「５０」のときは、安否情報の「１００」の部分を端末２００−１へ送信し、安否情報の残りの「５０」の部分を端末２００−２へ送信する。この場合、安否情報のサイズが２つの端末２００−１，２００−２の空きメモリサイズの合計を超える場合は、安否情報をさらに分割し、端末２００−１〜２００−３に対して分割した安否情報を送信する。この場合、情報処理部２３０は、端末２００−３に対して空きメモリサイズを報告させる。情報処理部１３０は、安否情報を送信することが可能なサイズの空きメモリサイズを確保するまで、以上の処理を繰り返す。
【０１１９】
なお、情報処理部１３０は、安否情報のサイズと空きメモリサイズとに基づいて、安否情報を各端末２００へ送信可能であるときは、複数の端末２００−１，２００−２へ同一の安否情報を送信してもよい。例えば、安否情報のサイズが「５０」で、端末２００−１の空きメモリサイズが「１００」、端末２００−２の空きメモリサイズが「５０」のときは、情報処理部１３０は、同一の安否情報を、端末２００−１と端末２００−２へ送信する。１つの端末２００−１の場合よりも、複数の端末２００−１，２００−２の方が、他の基地局１００−Ｂへ移動して、安否情報が安否確認サーバ４００へ送信される確率が高くなるからである。
【０１２０】
図９の例では、基地局１００−Ａは、保存した安否情報を端末２００−１へ送信する例を表している（Ｓ４７，Ｓ４８）。この場合、基地局１００−Ａは、安否情報を分割して、分割した安否情報を、端末２００−１と端末２００−２へ送信してもよい（Ｓ４７，Ｓ４９）。
【０１２１】
端末２００−１は、安否情報を受信すると、受信した安否情報を保存する。例えば、情報処理部２３０は、メモリ２６０に受信した安否情報を保存する（Ｓ４８）。この場合、メモリ２６０には、端末２００−１〜２００−３の安否情報が保存される。端末２００−２が安否情報を受信した場合も同様である（Ｓ４９）。
【０１２２】
＜２．５  安否情報を保存する端末が隣接セルへ移動した場合＞
図１０は安否情報を保存する端末２００−１が隣接セルへ移動した場合の動作例を表すシーケンス図である。
【０１２３】
安否情報を保存する端末２００−１は、基地局１００−Ａのセル範囲から基地局１００−Ｂのセル範囲へ移動する（Ｓ５１）。
【０１２４】
端末２００−１は、基地局１００−Ｂから送信されるシステム情報を受信する（Ｓ５２）。この場合のシステム情報は、例えば、ＳＩＢ  ＴｙｐｅＸＸ以外のＳＩＢとなっている。
【０１２５】
次に、端末２００−１は、基地局１００−Ｂに対して接続要求を送信する（Ｓ５３）。
【０１２６】
図１６（Ｂ）は、端末２００−１と基地局１００−Ｂの間の接続シーケンスの具体例を表す図である。Ｓ５２からＳ５３２は、図１６（Ａ）に示すＳ３１からＳ３２２と同一である。
【０１２７】
端末２００−１は、ランダムアクセスレスポンスを受信すると（Ｓ５３２）、「ＥｓｔａｂｌｉｓｈｍｅｎｔＣａｕｓｅ」に「ＳａｔｙＣｈｅｃｋ２」を含むＲＲＣｃｏｎｎｅｃｔｉｏｎＲｅｑｕｅｓｔメッセージを基地局１００−Ｂへ送信する（Ｓ５３３）。上述したように、「ＳａｔｙＣｈｅｃｋ２」により、例えば、端末２００−１は、移動元の基地局１００−Ａから受信した安否情報の送信ための接続であることを基地局１００−Ｂへ通知している。例えば、情報処理部２３０は、ランダムアクセスレスポンスを受信すると、メモリ２６０に安否情報が記憶されていることを確認して、「ＳａｔｙＣｈｅｃｋ２」を含むＲＲＣｃｏｎｎｅｃｔｉｏｎＲｅｑｕｅｓｔメッセージを生成し、基地局１００−Ｂへ送信する。
【０１２８】
基地局１００−Ｂは、ＲＲＣｃｏｎｎｅｃｔｉｏｎＲｅｑｕｅｓｔメッセージを受信すると、上位ネットワーク装置３００に対して、端末２００−１の認証を要求し、上位ネットワーク装置３００から認証応答を受信する（Ｓ５４，Ｓ５５）。
【０１２９】
次に、基地局１００−Ｂは、端末２００−１に対して優先的に接続を許可することを示す情報要素と、スケジューリング結果を含むＲＲＣｃｏｎｎｅｃｔｉｏｎＳｅｔｕｐメッセージを端末２００−１へ送信する（Ｓ５６）。例えば、基地局１００−Ｂの情報処理部１３０は、以下の処理を行う。すなわち、情報処理部１３０は、認証応答を上位ネットワーク装置３００から受信すると、「ＳａｔｙＣｈｅｃｋ２」を送信した端末２００−１に対して、他の端末２００−４よりも優先して、ＲＲＣ接続を許可する。そして、情報処理部１３０は、接続許可の情報要素などを含むＲＲＣｃｏｎｎｅｃｔｉｏｎＳｅｔｕｐメッセージを生成して、端末２００−１へ送信する。
【０１３０】
図１０に戻り、端末２００−１は、ＲＲＣｃｏｎｎｅｃｔｉｏｎＳｅｔｕｐメッセージを受信すると（Ｓ５６）、安否情報を基地局１００−Ｂへ送信する（Ｓ５７）。例えば、情報処理部２３０は、ＲＲＣｃｏｎｎｅｃｔｉｏｎＳｅｔｕｐメッセージを受信すると、メモリ２６０に保存した安否情報を読み出して、基地局１００−Ｂへ送信する。
【０１３１】
基地局１００−Ｂは、受信した安否情報を、上位ネットワーク装置３００へ送信し、上位ネットワーク装置３００は、受信した安否情報を安否確認サーバ４００へ送信する（Ｓ５８，Ｓ５９）。
【０１３２】
安否確認サーバ４００は、安否情報の登録を完了すると、受信完了メッセージを生成して、上位ネットワーク装置３００、基地局１００−Ｂを介して、端末２００−１へ、受信完了メッセージを送信する（Ｓ６０〜Ｓ６２）。
【０１３３】
端末２００−１は、受信完了メッセージを終了すると、安否確認ソフトウェアプログラム１５０を終了させる（Ｓ６３）。
【０１３４】
＜２．６  基地局と上位ネットワーク装置との接続が復旧した場合＞
図１１は、基地局１００−Ａと上位ネットワーク装置３００との接続が復旧した場合の動作例を表すシーケンス図である。
【０１３５】
基地局１００−Ａは、上位ネットワーク装置３００の接続が復旧すると、上位ネットワーク装置３００との接続を確認する（Ｓ７１，Ｓ７２）。例えば、制御部１２０は、ヘルスチェックなどにより、上位ネットワーク装置３００へ送信したパケットに対する応答パケットを受信したとき、上位ネットワーク装置３００との接続が復旧したことを検出し、接続を確認する。
【０１３６】
次に、基地局１００−Ａは、自局で保存した安否情報を、上位ネットワーク装置３００へ送信する（Ｓ７３）。例えば、情報処理部１３０は制御部１２０から上位ネットワーク装置３００との接続が復旧したことを示す通知を受け取ると、データベース１４０に記憶した安否情報を読み出して、制御部１２０を介して上位ネットワーク装置３００へ送信する。送信する安否情報は、例えば、端末２００−１〜２００−３の安否情報など、基地局１００−Ａで保存した全安否情報であってよい。
【０１３７】
上位ネットワーク装置３００は、基地局１００−Ａから受信した安否情報を、安否確認サーバ４００へ送信する（Ｓ７４）。
【０１３８】
安否確認サーバ４００は、安否情報の受信を完了すると、受信完了メッセージを生成し、生成した受信完了メッセージを、上位ネットワーク装置３００を介して基地局１００−Ａへ送信する（Ｓ７５，Ｓ７６）。安否確認サーバ４００は、受信した安否情報を、記憶媒体に登録し（Ｓ７７）、基地局１００−Ａは、受信完了メッセージを受信して、安否情報確認動作を終了し、通常運用へ移行する（Ｓ７８）。
【０１３９】
以上説明したように、本第１の実施の形態においては、基地局１００−Ａと上位ネットワーク装置３００との接続が災害要因により切断されて、安否情報の安否確認サーバへ４００の登録ができないとき、基地局１００−Ａは、端末２００−１へ収集した安否情報を送信する。端末２００−１は、端末２００−２，２００−３と比較して、基地局１００−Ａのセル範囲から基地局１００−Ｂのセル範囲へ移動する確率が高い端末となっている。このとき、端末２００−１は、上位ネットワーク装置３００との接続が維持されている基地局１００−Ｂと接続して、安否情報を基地局１００−Ｂへ送信することが可能であり、これにより、収集した安否情報が安否確認サーバ４００へ送信されて、安否確認サーバ４００での登録が可能となる。よって、本安否確認システム１０は、通信不能エリアの端末２００−１〜２００−３の安否情報を安否確認サーバ４００へ伝達することが可能となる。
【０１４０】
［第２の実施の形態］
図１７（Ａ）は基地局１００、図１７（Ｂ）は端末２００のハードウェア構成例をそれぞれ表す図である。
【０１４１】
図１７（Ａ）に示すように、基地局１００は、さらに、ＤＳＰ（Digital Signal Processor）１８０、ＣＰＵ（Central Processing Unit）１８１、ＩＦ（Interface）１８２、メモリ１８３、ＲＯＭ（Read Only Memory）１８４、ＲＡＭ（Random Access Memory）１８５を備える。
【０１４２】
ＣＰＵ１８１は、ＲＯＭ１８４に記憶されたプログラムを読み出して、ＲＡＭ１８５にロードし、ロードしたプログラムを実行することで、例えば、制御部１２０、情報処理部１３０、災害判定機能部１６０の機能を実行することが可能である。ＣＰＵ１８１は、例えば、情報処理部１３０と災害判定機能部１６０に対応する。
【０１４３】
また、ＤＳＰ１８０は、例えば、ベースバンド処理部１１０に対応する。さらに、ＩＦ１８２は、例えば、制御部１２０に対応する。さらに、メモリ１８３は、例えば、データベース１４０と安否確認ソフトウェアプログラム１５０を記憶する。
【０１４４】
図１７（Ｂ）に示すように、端末２００は、さらに、ＤＳＰ２８０、ＣＰＵ２８１、ＩＦ２８２、メモリ２８３、ＲＯＭ２８４、ＲＡＭ２８５を備える。
【０１４５】
ＣＰＵ２８１は、例えば、ＲＯＭ２８４に記憶されたプログラムを読み出して、ＲＡＭ２８５にロードし、ロードしたプログラムを実行することで、制御部２２０、情報処理部２３０、ＧＰＳ機能部２５０の機能を実行することが可能である、ＣＰＵ２８１は、例えば、制御部２２０、情報処理部２３０、ＧＰＳ機能部２５０に対応する。
【０１４６】
また、ＤＳＰ２８０は、例えば、無線信号処理機能部２１０に対応する。さらに、ＩＦ２８２は、例えば、ユーザインタフェース２４０に対応する。さらに、メモリ２８３は、例えば、メモリ２６０に対応し、安否確認ソフトウェアプログラム１５０を記憶する。
【０１４７】
なお、図１７（Ａ）と図１７（Ｂ）において、ＣＰＵ１８１，２８１に代えて、例えば、ＭＰＵ（Micro Processing Unit）、ＦＰＧＡ（Field-Programmable Gate Array）、又はＤＳＰなどのコントローラやプロセッサであってもよい。また、ＤＳＰ１８０，２８０についても、例えば、ＦＰＧＡやＣＰＵなどのコントローラやプロセッサであってもよい。
【０１４８】
［第３の実施の形態］
図１８は第３の実施の形態における安否確認システム１０の構成例を表す図である。安否確認システム１０は、第１及び第２の基地局装置１００−Ａ，１００−Ｂと、第１及び第２の端末装置２００−１，２００−２、第１及び第２の端末装置２００−１，２００−２を利用する各利用者の安否情報を管理するサーバ４００を備える。サーバ４００のことを、例えば、安否確認サーバ４００と称する場合がある。
【０１４９】
第１の基地局装置１００−Ａは、第１及び第２の端末装置２００−１，２００−２と無線通信可能であり、第２の基地局装置１００−Ｂも、第１及び第２の端末装置２００−１，２００−２と無線通信可能である。また、第２の基地局装置１００−Ｂは、安否確認サーバ４００と接続されている。
【０１５０】
第１の基地局装置１００−Ａは、災害判定機能部１６０と第１の情報処理部１３０を備える。
【０１５１】
災害判定機能部１６０は、安否確認サーバ４００との接続が切断された要因が災害の発生によるものか否かを判定する。
【０１５２】
第１の情報処理部１３０は、安否確認サーバ４００との接続が切断された要因が災害によるものであることを示す判定結果を災害判定機能部１６０から受け取ったとき以下の処理を行う。すなわち、第１の情報処理部１３０は、第１及び第２の端末装置２００−１，２００−２から収集した第１及び第２の安否情報を、第１の端末装置２００−１へ送信する。この場合、第１の端末装置２００−１は、第１の基地局装置１００−Ａの通信可能範囲から第２の基地局装置１００−Ｂの通信可能範囲へ移動する確率は第２の端末装置２００−２よりも高くなっている。
【０１５３】
第１の端末装置２００−１は、メモリ２６０と第２の情報処理部２３０を備える。
【０１５４】
メモリ２６０は、第１及び第２の安否情報を記憶する。
【０１５５】
第２の情報処理部２３０は、第１の基地局装置へ第１の安否情報を送信後、第１の基地局装置１００−Ａの通信可能範囲から第２の基地局装置１００−Ｂの通信可能範囲へ移動する確率が高いとして、第１及び第２の安否情報を第１の基地局装置１００−Ａから受信する。そして、第２の情報処理部２３０は、第１及び第２の安否情報をメモリ２６０に記憶し、第１の基地局装置１００−Ａの通信可能範囲から第２の基地局装置１００−Ｂの通信可能範囲へ移動したとき、第１及び第２の安否情報を第２の基地局装置１００−Ｂへ送信する。
【０１５６】
このように、第１の基地局装置１００−Ａは、災害により安否確認サーバ４００との接続が切断されたときでも、収集した第１及び第２の安否情報を、第２の基地局装置１００−Ｂへ移動する確率が第２の端末装置２００−２より高い第１の端末装置２００−１へ送信する。これにより、第１及び第２の安否情報は、第１の端末装置２００−１から第２の基地局装置１００−Ｂを経由して、安否確認サーバ４００へ伝達することが可能となり、安否確認サーバ４００で第１及び第２の安否情報が登録される。よって、通信不能領域に在圏する第１及び第２の端末装置２００−１，２００−２から送信された安否情報を安否確認サーバ４００へ伝達することができる。
【０１５７】
なお、第１及び第２の基地局装置１００−Ａ，１００−Ｂは、例えば、第１の実施の形態における基地局１００−Ａ，１００−Ｂにそれぞれ対応する。また、第１及び第２の端末装置２００−１，２００−２は、例えば、第１の実施の形態における端末２００−１，２００−２にそれぞれ対応する。さらに、第１及び第２の情報処理部１３０，２３０は、例えば、第１の実施の形態における情報処理部１３０，２３０にそれぞれ対応する。
【０１５８】
［その他の実施の形態］
第１の実施の形態では、制御部１２０において基幹回線の接続断を検出し、その結果が情報処理部１３０から災害判定機能部１６０へ出力されて、災害判定機能部１６０において判定する例について説明した。例えば、制御部１２０は、基幹回線の接続断を検出すると、災害判定機能部１６０へ検出結果を直接出力してもよい。この場合、制御部１２０と災害判定機能部１６０は直接接続されてもよい。或いは、情報処理部１３０は、制御部１２０から基幹回線の接続断の検出結果、災害判定機能部１６０から災害の発生の有無の検出結果、をそれぞれ受け取り、２つの検出結果に基づいて、第１の実施の形態と同様に設定時間内に災害が発生したか否かを検出してもよい。
【０１５９】
また、第１の実施の形態では、災害の例として、地震を例にして説明した。例えば、津波の場合でも実施可能である。この場合、災害判定機能部１６０は、緊急地震速報受信部１６３に代えて、津波警報受信部とし、アンテナ１６４や専用回線を介して、津波警報を受信すると、受信時間から所定時間内に基幹回線が切断したときは、津波により基幹回線が切断されたと判定することができる。以降の処理は、第１の実施の形態と同様に実施可能である。
【０１６０】
以上まとめると付記のようになる。
【０１６１】
（付記１）
第１及び第２の端末装置と無線通信可能な基地局装置において、
前記第１及び第２の端末装置の利用者の安否情報を管理するサーバとの接続が切断された要因が災害の発生によるものか否かを判定する災害判定機能部と、
前記サーバとの接続が切断された要因が災害の発生によるものであることを示す判定結果を前記災害判定機能部から受け取ったとき、前記第１及び第２の端末装置からそれぞれ収集した第１及び第２の安否情報を、前記基地局装置の通信可能範囲から第１の基地局装置の通信可能範囲へ移動する確率が前記第２の端末装置よりも高い前記第１の端末装置へ送信する情報処理部と
を備えることを特徴とする基地局装置。
【０１６２】
（付記２）
前記災害判定機能部は、災害が発生した時間から所定時間内に前記サーバとの接続が切断したときは、又は、緊急地震速報を受信した時間から所定時間内に前記サーバとの接続が切断したときは、前記サーバとの接続が切断した要因は災害の発生によるものであることを示す判定結果を前記情報処理部へ出力することを特徴とする付記１記載の基地局装置。
【０１６３】
（付記３）
前記情報処理部は、前記判定結果を前記災害判定機能部から受け取ったとき、前記第１及び第２の安否情報の送信を前記第１及び第２の端末装置にそれぞれ要求する又はしないことを示す報知情報を送信することを特徴とする付記１記載の基地局装置。
【０１６４】
（付記４）
前記情報処理部は、前記第１及び第２の安否情報の送信を前記第１及び第２の端末装置にそれぞれ要求することを示す前記報知情報を送信したとき、前記第１及び第２の端末装置から前記第１及び第２の安否情報をそれぞれ受信することを特徴とする付記３記載の基地局装置。
【０１６５】
（付記５）
前記情報処理部は、前記第１及び第２の安否情報の送信を前記第１及び第２の端末装置にそれぞれ要求することを示す前記報知情報を、１サブフレーム内で複数回連続して送信、又は、１サブフレーム内で前記報知情報を１回かつ複数サブフレーム連続して送信したとき、前記報知情報を受信した回数に応じた前記第１及び第２の安否情報を前記第１及び第２の端末装置からそれぞれ受信することを特徴とする付記４記載の基地局装置。
【０１６６】
（付記６）
前記情報処理部は、前記判定結果を前記災害判定機能部から受け取ったとき、前記第１及び第２の安否情報の送信を前記第１及び第２の端末装置にそれぞれ要求する又はしない、及び、更新された第１及び第２の安否情報の送信を前記第１及び第２の端末装置にそれぞれ要求する又はしないことを示す前記報知情報を送信することを特徴とする付記１記載の基地局装置。
【０１６７】
（付記７）
前記情報処理部は、前記第１及び第２の安否情報の送信を前記第１及び第２の端末装置にそれぞれ要求し、かつ、更新された前記第１及び第２の安否情報の送信を前記第１及び第２の端末装置にそれぞれ要求する前記報知情報を送信したとき、更新された前記第１及び第２の安否情報を前記第１及び第２の端末装置からそれぞれ受信することを特徴とする付記６記載の基地局装置。
【０１６８】
（付記８）
前記情報処理部は、更新された前記第１及び第２の安否情報の送信を前記第１及び第２の端末装置にそれぞれ要求する前記報知情報を変更したとき、更新された前記第１及び第２の安否情報を前記第１及び第２の端末装置からそれぞれ受信することを特徴とする付記７記載の基地局装置。
【０１６９】
（付記９）
前記情報処理部は、前記報知情報を、１サブフレーム内で複数回連続して送信、又は、１サブフレーム内で前記報知情報を１回かつ複数サブフレーム連続して送信したとき、前記第１及び第２の端末装置から前記第１及び第２の安否情報を多くても１回それぞれ受信することを特徴とする付記６記載の基地局装置。
【０１７０】
（付記１０）
前記情報処理部は、安否確認メッセージを示すステータス情報と、前記第１及び第２の端末装置を識別する端末情報とをそれぞれ含む前記第１及び第２の安否情報を収集することを特徴とする付記１記載の基地局装置。
【０１７１】
（付記１１）
前記情報処理部は、第２の基地局装置の通信可能範囲から前記基地局装置の通信可能範囲に移動した第３の端末装置から、第３の安否情報を送信するための接続要求を受信したとき、前記第３の端末装置の認証手順を制御装置と行うことなく、前記第３の端末装置へ接続許可を送信することを特徴とする付記１記載の基地局装置。
【０１７２】
（付記１２）
前記基地局装置が前記サーバとの接続が切断されていないときであって、前記第１の端末装置から前記第１及び第２の安否情報を送信するための接続要求を受信したとき、前記第２の端末装置よりも前記第１の端末装置を優先して、前記第１の端末装置に対して接続許可を送信することを特徴とする付記１記載の基地局装置。
【０１７３】
（付記１３）
前記情報処理部は、前記第１及び第２の端末装置から送信された無線信号の送信タイミングと前記基地局装置において受信した前記無線信号の受信タイミングの差に応じて、収集した前記安否情報を送信する候補の端末装置を決定することを特徴とする付記１記載の基地局装置。
【０１７４】
（付記１４）
前記送信タイミングと前記受信タイミングの差はタイミング調整（Timing Advance）値であることを特徴とする付記１３記載の基地局装置。
【０１７５】
（付記１５）
前記情報処理部は、決定した候補の前記端末装置に対して、前記第１及び第２の端末装置における空きメモリサイズに基づいて決定した優先順位に従って、収集した前記安否情報を前記第１の端末装置へ送信することを特徴とする付記１３記載の基地局装置。
【０１７６】
（付記１６）
第１及び第２の安否情報を記憶するメモリと、
第１の基地局装置へ前記第１の安否情報を送信後、前記第１の基地局装置の通信可能範囲から第２の基地局装置の通信可能範囲へ移動する確率が他の端末装置よりも高いとして、前記第１の安否情報と前記他の端末装置が前記第１の基地局装置へ送信した前記第２の安否情報とを前記第１の基地局装置から受信して、前記メモリに前記第１及び第２の安否情報を記憶し、前記第１の基地局装置の通信可能範囲から前記第２の基地局装置の通信可能範囲へ移動したとき、前記第１及び第２の安否情報を前記第２の基地局装置へ送信する情報処理部と
を備えることを特徴とする端末装置。
【０１７７】
（付記１７）
前記情報処理部は、前記端末装置が第３の基地局装置の通信可能範囲から前記第１の基地局装置の通信可能範囲に移動して、前記第１の基地局装置から前記第１の安否情報の送信を要求することを示す報知情報を受信したとき、前記第１の安否情報を送信するための接続であることを示す接続要求を前記第１の基地局装置へ送信することを特徴とする付記１６記載の端末装置。
【０１７８】
（付記１８）
前記情報処理部は、前記端末装置が前記第１の基地局装置の通信可能範囲から前記第２の基地局装置の通信可能範囲へ移動したとき、前記第１及び第２の安否情報を送信するための接続であることを示す接続要求を前記第２の基地局装置へ送信することを特徴とする付記１６記載の端末装置。
【０１７９】
（付記１９）
第１及び第２の端末装置と、
前記第１及び第２の端末装置と無線通信可能な第１及び第２の基地局装置と、
前記第２の基地局装置と接続され、前記第１及び第２の端末装置の利用者の安否情報を管理するサーバと
を備える安否確認システムであって、
前記第１の基地局装置は、
前記サーバとの接続が切断された要因が災害の発生によるものか否かを判定する災害判定機能部と、
前記サーバとの接続が切断された要因が災害の発生によるものであることを示す判定結果を前記災害判定機能部から受け取ったとき、前記第１及び第２の端末装置からそれぞれ収集した第１及び第２の安否情報を、前記第１の基地局装置の通信可能範囲から前記第２の基地局装置の通信可能範囲へ移動する確率が前記第２の端末装置よりも高い前記第１の端末装置へ送信する第１の情報処理部とを備え、
前記第１の端末装置は、
前記第１及び第２の安否情報を記憶するメモリと、
前記第１の基地局装置へ第１の安否情報を送信後、前記第１の基地局装置の通信可能範囲から前記第２の基地局装置の通信可能範囲へ移動する確率が第２の端末装置よりも高いとして、前記第１及び第２の安否情報を前記第１の基地局装置から受信して、前記メモリに前記第１及び第２の安否情報を記憶し、前記第１の基地局装置の通信可能範囲から前記第２の基地局装置の通信可能範囲へ移動したとき、前記第１及び第２の安否情報を前記第２の基地局装置へ送信する第２の情報処理部と
を備えることを特徴とする安否確認システム。
【０１８０】
（付記２０）
第１及び第２の端末装置と無線通信可能であり、災害判定機能部と情報処理部とを有する基地局装置における安否確認方法であって、
前記災害判定機能部により、前記第１及び第２の端末装置の利用者の安否情報を管理するサーバとの接続が切断された要因が災害の発生によるものか否かを判定し、
前記情報処理部により、前記サーバとの接続が切断された要因が災害の発生によるものであることを示す判定結果を前記災害判定機能部から受け取ったとき、前記第１及び第２の端末装置からそれぞれ収集した第１及び第２の安否情報を、前記基地局装置の通信可能範囲から第１の基地局装置の通信可能範囲へ移動する確率が前記第２の端末装置よりも高い前記第１の端末装置へ送信する
ことを特徴とする安否確認方法。
【符号の説明】
【０１８１】
１０：安否確認システム                
１００（１００−Ａ，１００−Ｂ）：基地局装置
１１０：ベースバンド処理部          １２０：制御部
１３０：情報処理部                  １４０：データベース
１５０：安否確認ソフトウェアプログラム
１６０：災害判定機能部              １８１：ＣＰＵ
２００（２００−１〜２００−４）：端末装置
２１０：無線信号処理機能部          ２２０：制御部
２３０：情報処理部                  ２４０：ユーザインタフェース
２５０：ＧＰＳ機能部                ２６０：メモリ
２８１：ＣＰＵ                      ３００：上位ネットワーク装置
４００：安否確認サーバ
【図１】
2018092461.tif 000003
【図２】
2018092461.tif 000004
【図３】
2018092461.tif 000005
【図４】
2018092461.tif 000006
【図５】
2018092461.tif 000007
【図６】
2018092461.tif 000008
【図７】
2018092461.tif 000009
【図８】
2018092461.tif 000010
【図９】
2018092461.tif 000011
【図１０】
2018092461.tif 000012
【図１１】
2018092461.tif 000013
【図１２】
2018092461.tif 000014
【図１３】
2018092461.tif 000015
【図１４】
2018092461.tif 000016
【図１５】
2018092461.tif 000017
【図１６】
2018092461.tif 000018
【図１７】
2018092461.tif 000019
【図１８】
2018092461.tif 000020